(57)【要約】【課題】敷設作業性の効率を改善し、敷設作業時におけるカーペットの傷つきを防ぐことができる汚れ防止シート付きカーペットを提供する。【解決手段】汚れ防止シート付きカーペット１０は、略全面が汚れ防止シート１で覆われており、縁部の少なくとも一片に沿って押さえ部材６を貼り付けるため、汚れ防止シート１で覆われていない部分３を有している。【選択図】　　　　　図２
0003097087.tif 000002
【実用新案登録請求の範囲】
【請求項１】
略全面を汚れ防止シートで覆ってあるカーペットであって、縁部の少なくとも一片に沿って押さえ部材を貼り付けるため、汚れ防止シートで覆われていない部分を有していることを特徴とする汚れ防止シート付きカーペット。
【請求項２】
全面を汚れ防止シートで覆ってあるカーペットであって、縁部の少なくとも一片に沿って押さえ部材を貼り付けるため、汚れ防止シートで覆われていない部分を形成するための裂き剥がし可能な脆弱部を有していることを特徴とする汚れ防止シート付きカーペット。
【請求項３】
前記した汚れ防止シートで覆われていない部分が下広がりの傾斜面であることを特徴とする請求項１または２に記載の汚れ防止シート付きカーペット。
【請求項４】
該脆弱部がミシン目、スリット、エンボスのいずれかであることを特徴とする請求項２に記載の汚れ防止シート付きカーペット。
【請求項５】
全面を汚れ防止シートで覆ってあるカーペットであって、縁部の少なくとも一片に沿って、汚れ防止シートとカーペット生地との融着部を有していることを特徴とする汚れ防止シート付きカーペット。
【請求項６】
前記した汚れ防止シートとカーペット生地との融着部が下広がりの傾斜面であることを特徴とする請求項５に記載の汚れ防止シート付きカーペット。
【請求項７】
前記した汚れ防止シートとカーペット生地との融着部がエンボス加工で形成されていることを特徴とする請求項５または６に記載の汚れ防止シート付きカーペット。
【請求項８】
縁部の少なくとも一片に沿って押さえ部材を貼り付けてあることを特徴とする請求項１から７のいずれかに記載の汚れ防止シート付きカーペット。
【請求項９】
該押さえ部材の断面形状がへの字型であることを特徴とする請求項８に記載の汚れ防止シート付きカーペット。
【考案の詳細な説明】
【０００１】
【考案の属する技術分野】
本考案は、展示会場等で敷設後開場までの表面汚れを防止するカーペットであって、床面からのはがれ防止および歩行による躓き防止のため、カーペット端部に押さえ部材を貼り付ける敷設作業を極めて容易にする表面の汚れ防止シート付カーペットに関するものである。
【０００２】
【従来の技術】
イベント会場や展示会場等では、カーペットが敷かれていることが多い。カーペットは、敷設してある末端から剥がれやすく、歩行の摩擦でめくれあがって人がつまずく危険もある。このような剥がれを防ぐため、カーペット末端縁部および床面にプラスチックまたはアルミニウムのへの字型や、その変形形状の押さえ部材を貼り付けて固定している。
【０００３】
一方、イベント会場等では、通常、カーペットの敷設の後に、展示物の運び込みや間仕切り工事のためオープンまでにかなり人の出入りがある。そのため、開場時にカーペットの表面がすでに汚れてしまうことがある。このような汚れを防止するため、カーペットを敷設した後、別途に養生フイルム又はシートをかぶせて作業するか、予めポリエステルフィルム等の汚れ防止シートで覆ったカーペットを敷設しておく。イベント会場の設営等の工事が終わったら、オープンの前夜あるいは当日の朝に汚れ防止シートを剥がし、汚れのないカーペットの表面がでるようにしていた。
【０００４】
従来の汚れ防止シートは、カーペット全面を覆っているため、カーペット末端縁部を床面にへの字型押さえ部材で固定するには、カーペットの上の汚れ防止シートをその部分だけ剥がすか、あるいは汚れ防止シートを切り取ってカーペットの表面を露出させ作業している。しかしながら、このような作業は非常に手間のかかるものであり、汚れ防止シートを切り取る際にカーペット自体を傷つけてしまうこともある。
【０００５】
【考案が解決しようとする課題】
本考案は、敷設作業時および、開場時までのカーペットの傷つき、汚れを防ぐことができ、その敷設作業時の効率を改善する汚れ防止シート付きカーペットを提供することを目的とする。
【０００６】
【課題を解決するための手段】
前記の目的を達成するためになされた本考案の汚れ防止シート付きカーペットは、実施例に対応する図１に示すとおり、略全面を汚れ防止シート１で覆ってあるカーペット１０であって、縁部の少なくとも一片に沿って押さえ部材６（図２参照）を貼り付けるため、汚れ防止シートで覆われていない部分３を有している。
【０００７】
同じく本考案の汚れ防止シート付きカーペットは、実施例に対応する図３に示すとおり、全面を汚れ防止シート１で覆ってあるカーペット１０であって、縁部の少なくとも一片に沿って押さえ部材６（図２参照）を貼り付けるため、汚れ防止シートで覆われていない部分３を形成するための裂き剥がし可能な脆弱部４を有している。
【０００８】
汚れ防止シートで覆われていない部分は、実施例に対応する図４に示すとおり、下広がりの傾斜面１２であることが好ましい。
【０００９】
脆弱部４はミシン目、スリット、エンボスのいずれかである。エンボスによってフイルムに線上の薄肉な脆弱部４を形成する。
【００１０】
また、同じく本考案の汚れ防止シート付きカーペットは、実施例に対応する図６に示すとおり、全面を汚れ防止シート１で覆ってあるカーペット１０であって、縁部の少なくとも一片に沿って、汚れ防止シート１とカーペット生地５との融着部１３を有している。
【００１１】
汚れ防止シート１とカーペット生地５との融着部１３は、下広がりの傾斜面であることが好ましい。
【００１２】
また汚れ防止シート１とカーペット生地５との融着部１３は、エンボス加工で形成される。
【００１３】
さらに本考案の汚れ防止シート付きカーペットは、実施例に対応する図２または図５に示すように、縁部３の少なくとも一片に沿って押さえ部材６を貼り付けてある。
【００１４】
押さえ部材６の断面形状は、実施例に対応する図２に示すとおり、への字型であることが好ましい。さらに、への字型押さえ部材は、人が上を歩行しても耐える強度を持ち、且つしなやかな材質の部材を選ぶことが好ましい。
【００１５】
【実施例】
以下、本考案の実施例を図面により詳細に説明する。
【００１６】
図１は本考案を適用する汚れ防止シート付きカーペット１０の一実施例を示す斜視図である。この汚れ防止シート付きカーペット１０は、長尺でロールに巻かれたニードルパンチカーペット生地５の表面の両側に縁部３を残し、熱溶着してポリエステルフィルムの汚れ防止シート１が接合されている。
【００１７】
この汚れ防止シート付きカーペット１０は、ロールを巻き伸ばしながらイベント会場等の床面に敷設してゆく。一渡り敷設したらその隣に幅方向の突き当てをしながら敷設する。必要個所の全面に敷設ができたら、図２に示すとおり、縁部３と床面９とを跨ってへの字型押さえ部材６を貼り付ける。への字型押さえ部材６は、プラスチックでへの字の長辺の内面がカーペット生地５の表面に接合されるように凹凸の滑り止めと粘着加工されており、その粘着力により、カーペット１０とを固定する。への字の短辺側は床面９側になりそのへの字状の傾斜で人の歩行による蹴躓きを防止している。
【００１８】
この後、展示の準備のため汚れ防止シート１が接合されたまま、カーペットの上を人が歩行する。展示の準備が終了し、開場を待つだけになったら、図２の鎖線に示すように、汚れ防止シート１を剥がす。入場者は汚れのないカーペットの上を歩くことになる。
【００１９】
図３は本考案を適用する汚れ防止シート付きカーペット１０の別な一実施例を示す斜視図である。この汚れ防止シート付きカーペット１０は、長尺なニードルパンチカーペット生地５の表面全面に、熱溶着してポリエステルフィルムの汚れ防止シート２が接合されている。汚れ防止シート２の両縁からやや内側に脆弱部であるミシン目４が入れられている。
【００２０】
この汚れ防止シート付きカーペット１０は、敷設後、ミシン目４に沿って汚れ防止シート２の端７を切り剥がす。表面の縁部３にカーペット生地５が現れる。そして図２に示すように、縁部３と床面９とを跨ってへの字型押さえ部材６を貼り付けて敷設をできる。開場直前に、汚れ防止シート全体を剥がす（図２鎖線参照）。
【００２１】
図４には、さらに別な実施例の汚れ防止シート付きカーペット１０が示してある。この汚れ防止シート付きカーペット１０は、カーペット生地５の上に汚れ防止シート１が全面に貼られた状態で縁部を下広がりの三角形にエンボス加工を施したものである。汚れ防止シート１は、エンボスの角８が脆弱になるため、引っ張られることで角８から引き裂ける。又は、予めカーペット縁部を下広がりの三角形エンボス加工し、カーペット生地５の上に汚れ防止シート１が全面に貼られた状態でも良い。その場合は脆弱部を設ければ剥せる。
【００２２】
図５には、さらに別な実施例の汚れ防止シート付きカーペット１０が示してある。この汚れ防止シート付きカーペット１０は、カーペット生地５の上に汚れ防止シート１が全面に貼られた状態で縁部にエンボス加工を施したものである。汚れ防止シート１は、エンボスの角８が脆弱になるため、引っ張られることで角８から引き裂ける。汚れ防止シート１が引き剥がされた縁部３の凹みに押さえ部材を貼り付けて床面９に防止シート付きカーペット１０を固定する。開場直前に、カーペット１２の表面の汚れ防止シート１を剥がす。
【００２３】
図６に示す実施例の汚れ防止シート付きカーペット１０は、全面が汚れ防止シート１で覆ってあり、縁部に沿って、汚れ防止シート１とカーペット生地５との融着部１３が傾斜面に形成されている。
【００２４】
この傾斜面の融着部１３は、図７に示すように、汚れ防止シート１とカーペット生地５とを重ね合わせの端部を、錐形の熱ローラ１５と受けローラ１６との間に間に挟みこんでエンボス加工により形成される。縁部が熱によって軟化して傾斜に成形され、冷却するとその形で固まる。
【００２５】
融着部１３（縁部の傾斜面）は固まっているので、傾斜面における汚れ防止シート１を剥がすことができず、また剥がす必要もない。融着部１３以外の大方の広い面（融着されていない面）は、汚れ防止シート１がエンボスの境目の角８で脆弱となっているため、開場直前に、図６の矢印で示すように、容易に引き剥がすことができる。
【００２６】
また、この実施例の汚れ防止シート付きカーペット１０は、縁部の傾斜面が融着部１３として固まっているので、への字型押さえ部材を貼り付けなくとも床面９に防止シート付きカーペット１１を固定するだけで、への字型押さえ部材を貼り付けた同様の効果を得られ、人の蹴躓きを防止できる。
【００２７】
本考案の汚れ防止シート付きカーペットにつき、上記各実施例ではニードルパンチカーペット生地を例示したが、これ以外のカーペット生地類にも適用できる。
【００２８】
【考案の効果】
以上、詳細に説明したように本考案の汚れ防止シート付きカーペットは、表面の縁部を汚れ防止シートで覆われていない部分にしているため、簡単に押さえ部材の貼り付け作業ができる。押さえ部材を貼り付けることにより人が上を歩行したときに捲れあがって蹴躓くことを防止できる。また本考案の汚れ防止シート付きカーペットは、押さえ部材を貼り付けなくても同様に捲れあがって蹴躓くことを防止できる。
【００２９】
したがって、敷設作業性の効率が大いに改善され、敷設作業時におけるカーペットの傷つき汚れを防ぐことができる。
【図面の簡単な説明】
【図１】本考案を適用する汚れ防止シート付きカーペットの実施例の斜視図である。
【図２】本考案を適用する汚れ防止シート付きカーペットの敷設作業途中の斜視図である。
【図３】本考案を適用する汚れ防止シート付きカーペットの別な実施例の斜視図である。
【図４】本考案を適用する汚れ防止シート付きカーペットのさらに別な実施例の敷設作業途中の斜視図である。
【図５】本考案を適用する汚れ防止シート付きカーペットのさらに別な実施例の敷設作業途中の斜視図である。
【図６】本考案を適用する汚れ防止シート付きカーペットのさらに別な実施例の敷設作業途中の斜視図である。
【図７】本考案を適用する汚れ防止シート付きカーペットの製造工程途中の部分正面図である。
【符号の説明】
１は汚れ防止シート、３は縁部、４は脆弱部、５はカーペット生地、６は押さえ部材、７は汚れ防止シートの端、８はエンボス角、９は床面、１０は汚れ防止シート付きカーペット、１２は傾斜面の縁部、１３は融着部、１５は熱ローラ、１６は受けローラである。
【図１】
0003097087.tif 000003
【図２】
0003097087.tif 000004
【図３】
0003097087.tif 000005
【図４】
0003097087.tif 000006
【図５】
0003097087.tif 000007
【図６】
0003097087.tif 000008
【図７】
0003097087.tif 000009